(57)【要約】      （修正有）【課題】安定性があって正確かつ迅速に高さ調整をすることができる柱を提供する。【解決手段】被挿入材１の上端開口部から挿入された挿入材２は被挿入材の開口部３から挿入された高さ調整材４にあたるとそれより下に降下できないため被挿入材と挿入材の接合体である柱の高さはこの位置で決る。柱の高さを上げたい場合は適当な厚みの調整板を追加して挿入するか同じ結果になるように調整板の組み合わせを変えるための入れ替えを行う。高さを下げたい場合は適当な厚みの調整板を抜き取るか同じ結果になるように調整板の組み合わせを変えるための入れ替えを行う。挿入材を引き上げる場合は傾斜した溝５にドライバー等の金属棒を差し込みドライバーの握り側を下げて差し込み側の挿入材を上げる。【選択図】図１
0003166030.tif 000002
【実用新案登録請求の範囲】
【請求項１】
中が空洞の筒形の挿入を受入れる被挿入材と被挿入材の内寸にほぼ等しい外寸をもち被挿入材の中を直立したまま自由に出入りする柱形の挿入材の２個の部材の接合よりなり挿入材の下側に障害物がない状態では挿入材は被挿入材の下端まで自由に降下する柱において、被挿入材の側板の一部に高さ方向の開口部がありこの開口部から厚みの異なる板である調整板の集合である高さ調整材を挿入し挿入材の下側に障害物である高さ調整材を設置し挿入材の降下を制御することによって高さ調整する柱。
【請求項２】
中が空洞の蓋のない箱型の挿入を受入れる被挿入材と被挿入材の内寸にほぼ等しい外寸をもち被挿入材の中を直立したまま自由に出入りする柱形の挿入材の２個の部材の接合よりなり挿入材の下側に障害物がない状態では挿入材は被挿入材の底面まで自由に降下する柱において、被挿入材の側板の一部に高さ方向の開口部がありこの開口部から厚みの異なる板である調整板の集合である高さ調整材を挿入し挿入材の下側に障害物である高さ調整材を設置し挿入材の降下を制御することによって高さ調整する柱。
【請求項３】
中が空洞の筒形の挿入を受入れる被挿入材と被挿入材の内寸にほぼ等しい外寸をもち被挿入材の中を直立したまま自由に出入りする柱形の挿入材の２個の部材の接合よりなり挿入材の下側に障害物がない状態では挿入材は被挿入材の下端まで自由に降下する柱において、被挿入材の側板の一部に高さ方向の開口部がありこの開口部から厚みの異なる板である調整板の集合である高さ調整材を挿入し挿入材の下側に障害物である高さ調整材を設置し挿入材の降下を制御することによって高さ調整する柱で挿入材の表面に金属棒等を差込んで挿入材を引き上げるための傾斜した溝が付いた柱。
【請求項４】
中が空洞の蓋のない箱型の挿入を受入れる被挿入材と被挿入材の内寸にほぼ等しい外寸をもち被挿入材の中を直立したまま自由に出入りする柱形の挿入材の２個の部材の接合よりなり挿入材の下側に障害物がない状態では挿入材は被挿入材の底面まで自由に降下する柱において、被挿入材の側板の一部に高さ方向の開口部がありこの開口部から厚みの異なる板である調整板の集合である高さ調整材を挿入し挿入材の下側に障害物である高さ調整材を設置し挿入材の降下を制御することによって高さ調整する柱で挿入材の表面に金属棒等を差込んで挿入材を引き上げるための傾斜した溝が付いた柱。
【考案の詳細な説明】
【技術分野】
【０００１】本考案は高さ調整可能な柱に関する。
【背景技術】
【０００２】従来この技術分野では、主として木製の束柱や柱が使われていたが、束柱や柱の高さの調整は切断によって行われていた。しかしこの方法は熟練を必要とし手間がかかるという難点がある。束柱については最近ネジの出入りを応用し高さ調整が簡単にできる金属製またはプラスチック製の束柱が広く使われるようになっている。しかし高さ調整をネジで行う従来品は細いネジ軸に支持力があるため寸胴の束柱にくらべて安定性に欠ける。そのため大引き等の床下材を束柱の上で長さ継ぎすることには適していない。建築材の柱については切断以外の方法で高さ調整できる物品はほとんど存在しない。
【考案が解決しようとする課題】
【０００３】本考案の課題は、安定性がありより簡単に高さ調整をすることができる柱を提供することにある。
【考案が解決するための手段】
【０００４】束柱と柱とは一般にその用途の違いから呼び名を異にしている。部材の長さが違う以外に構造上の相違点がないので本考案では束柱と柱を区別せず柱と呼ぶ。上記の課題を解決するため本考案は挿入される材と挿入する材の２個の部材による構成とし挿入する部材の出入りの位置を調整することによって柱全体の高さを調整する構造とする。挿入される部材である被挿入材は中が空洞で筒形または蓋のない箱形の部材である。挿入する部材である挿入材は被挿入材の内寸にほぼ等しい外寸をもち被挿入材の中を直立したまま自由に出入りする柱形の部材である。挿入材の表面には傾斜した浅い溝がついている。この溝は挿入材を引き上げるときにドライバー等の金属棒をこの溝に差し込むためにある。挿入材の下側に障害物がない状態では被挿入材の上端開口部から挿入された挿入材は被挿入材の下端または底面まで自由に降下する。本考案は挿入材の下側に障害物を設置し障害物の高さを自由に変える構造にすることによって挿入材の出入りを調整し柱全体の高さを調整する。障害物である高さ調整材を出し入れするための開口部が被挿入材の側板の高さ方向に付いている。高さ調整材は厚みの異なる板である調整板の集合であり複数の調整板を取捨選択し選択後の調整板の集合である高さ調整材をこの開口部から挿入し被挿入材の下端または底面に設置する。被挿入材の上端開口部から挿入された挿入材は降下するが高さ調整材にあたるとそれ以上降下できず高さ調整材の厚み分だけ挿入材は上部に突き出た位置で止まる。このように本考案は調整板を取捨選択して調整板の集合である高さ調整材の厚みを変化させることによって柱全体の高さを調整する構造である。仮に高さ調整範囲が８０ｍｍ、高さ調整最小単位１ｍｍ、開口部の挿入可能幅が３０ｍｍ、挿入材の幅と側板の厚みの合計が１２０ｍｍとし調整板を被挿入材の外から掴むに必要な寸法を１０ミリとると調整板のサイズと枚数は１３０×３０×４０、２０、１０、５、２、２、１ｍｍの７枚となる。この７枚の調整板を取捨選択して組み合わせを変えることで高さ調整材の厚みを１〜８０ｍｍの範囲で自由に設定し柱全体の高さ調整を１ミリ刻みで行うことができる。本考案の使い方は調整材の集合である高さ調整材を被挿入材の側板の開口部から挿入する。次に被挿入材の上端開口部より挿入材を挿入する。被挿入材と挿入材の高さが同じとすると挿入した高さ調整材の厚み分だけ挿入材が被挿入材より上に飛び出た位置で止まる。挿入材の上端が仮に３２ｍｍ目標高より上の位置にある場合、高さ調整材の中から２０、１０、２の３枚の調整板を抜き取るかまたは３２ミリ減になるように調整板の組み合わせを変えるための入れ替えをする。その際挿入材の圧迫等により調整板の抜き取りが困難な場合は挿入材を上に引き上げる必要がある。その場合、挿入材の表面に付いている浅い溝にドライバー等を差し込み被挿入材の上端面を支点としてドライバーの握り側を下げると梃子の力でドライバー等の差し込み側に上向きの力が働くので挿入材を引き上げることができる。挿入材の上端が仮に２３ｍｍ正確な目標高より下の位置にある場合は２０、２、１の３枚の調整板を開口部から追加して挿入するかまたは２３ミリ増となるように調整板の組��合わせを変えるための入れ替えを行う。その際挿入材を上に引き上げる必要があるがやり方は上記と同じである。このように本考案では調整板の抜き取り、追加挿入、入れ替えを適宜行うことで簡単に高さ修正することができる。ネジを回転させて高さ修正する従来品よりも正確に迅速に行うことができる。特にデッキ等の建築の際に正確な水勾配をつけたいときに役立つ。例えば２メートルの長さのデッキに１％の水勾配を正確につけるのは従来の技術では難しい。しかし本考案によれば以下のように簡単に行うことができる。ここで２メートルのデッキについて建物側から外に向かって床材を支えるために３本の柱を使うとして建物手前側から順番に１番、２番、３番と番号付けをする。まず３本の柱の高さを調整してデッキの床高を建物の床高に合わせかつデッキの２メートルの床面が水平になるように水平器等を使って調整する。次に２番の柱について高さ調整材の中から１ミリ厚の調整板を引き抜くか１ミリ減になるように調整板の入れ替えを行う。同じように３番の柱について２ミリ減になるように調整板の引き抜きまたは入れ替え行う。作業はこれで終わりである。このように正確かつ迅速に１％の水勾配をつけることができる。本考案の柱の高さ調整できる範囲については被挿入材および挿入材の高さにより異なる。挿入材はその一定部分が被挿入材の中に挿入された状態でなければ安定して直立しない。従って挿入材を出せる限度は挿入材の高さからその一定部分を除いた高さになり同時に挿入材を出せる限度が高さ調整可能な範囲となる。本考案の柱はネジで高さを調整する従来品に比して大引き等の床下材を支える支持面が広いため安定性があり本考案の柱の上で大引き等の床下材の長さ継ぎをすることもできる。底板の付いた箱形の被挿入材では底板の中央に貫通穴がついている。この穴にビス等を通して柱を立てる土台となる束石や建物の床等に本考案の柱を直接固定する。
【考案の効果】
【０００５】このように本考案の柱は高さ調整が正確かつ迅速にできる。支持力の働く面が大きいので安定している。室内の希望する場所に柱を容易に設置できる。
【図面の簡単な説明】
【０００６】
【図１】  被挿入材が筒形をした本考案の束柱の説明図である。
【図２】  被挿入材が蓋のない箱形をした本考案の束柱の説明図である。
【考案を実施するための形態】
【０００７】  本考案の目的は安定性があり正確かつ迅速に高さ調整をすることができる柱を提供することにある。この課題を解決するため本考案は挿入される材と挿入する材の２個の部材による構成とし挿入する部材の出入りの位置を調整することによって柱全体の高さを調整する。挿入される部材である被挿入材は中が空洞で筒形もしくは蓋のない箱形の部材である。挿入する部材である挿入材は被挿入材の内寸にほぼ等しい外寸をもち被挿入材の中を直立したまま自由に出入りする柱形の部材である。挿入材の下側に障害物がない状態では被挿入材の上端開口部から挿入された挿入材は被挿入材の下端または底面まで自由に降下する。本考案は挿入材の下側に障害物を設置し障害物の高さを自由に変えられる構造にすることによって挿入材の出入りを調整し柱全体の高さを調整する。障害物である高さ調整材を出し入れするための開口部が被挿入材の側板に高さ方向についている。高さ調整材は厚みの異なる複数の調整板の集合であり調整板を取捨選択し選択後の調整板の集合である高さ調整材をこの開口部から挿入し被挿入材の下端または底面に設置する。被挿入材の上端開口部から挿入された挿入材は降下するがこの高さ調整材にあたるとそれ以上降下できず高さ調整材の高さ分だけ挿入材は上部に突き出た位置で止まる。このように本考案は調整板を取捨選択して調整板の集合である高さ調整材の厚みを変化させることによって柱全体の高さを調整する構造である。挿入材を引き上げる必要がある場合は挿入材の表面についている傾斜した浅い溝にドライバー等の金属棒を差し込み被挿入材の上端面を梃子にして挿入材を引き上げる。
【実施例１】
【０００８】本考案の実施例について図面を参照しながら説明する。
図１は被挿入材が筒形をした本考案の正面図、左側面図、左側面断面図、右側面図、背面図、底面図である。被挿入材１の上端開口部から挿入された挿入材２は被挿入材の開口部３から挿入された高さ調整材４にあたるとそれより下に降下できないため被挿入材と挿入材の接合体である柱の高さはこの位置で決る。柱の高さを上げたい場合は適当な厚みの調整板を追加して挿入するか同じ結果になるように調整板の組み合わせを変えるための入れ替えを行う。高さを下げたい場合は適当な厚みの調整板を抜き取るか同じ結果になるように調整板の組み合わせを変えるための入れ替えを行う。挿入材を引き上げる場合は傾斜した溝５にドライバー等の金属棒を差し込みドライバーの握り側を下げて差し込み側の挿入材を上げる。
図２は被挿入材が蓋のない箱形をした本考案の正面図、左側面図、底面図である。筒形の被挿入材に底板がついたもので底板の中央にある穴６を使って束石や床材等に固定用のビス等を打ち込む以外の使い方は上記の筒形の被挿入材と同じである。
【産業上の利用可能性】
【０００９】高さ調整が正確に迅速にできて安定した柱を必要とする用途に利用できる。
【符号の説明】
【００１０】１    被挿入材
２    挿入材
３    高さ調整材用開口部
４    高さ調整材（調整板）
５    傾斜溝
６    貫通穴
【図１】
0003166030.tif 000003
【図２】
0003166030.tif 000004